(57)【要約】【課題】袋体の長手方向の寸法を抑えつつ、袋体の内部空間を広く確保し、かつ、尿を吸収する能力を向上させて、袋体からの尿の漏れを防止できる尿吸収物品を提供する。【解決手段】袋体１０の底部に、袋体１０の内部へ向けて折り込まれた折り込み部１０ｂが設けられている。これにより、袋体１０の長手方向の寸法を抑えつつ、袋体１０の内側面の面積を増加させることができる。また、トップシート１１とバックシート１２との間に、多くの吸収体１３を介在させることができる。したがって、採尿パッド１の尿を吸収する能力が向上する。また、折り込み部１０ｂが袋体１０の底部を拡げるため、袋体１０の内部空間が広く確保される。その結果、袋体からの尿の漏れが防止される。【選択図】図２
2011041678.tif 000002
【特許請求の範囲】
【請求項１】
男性器に装着されて男性器から排泄される尿を吸収する尿吸収物品であって、
内側面を構成する液透過性のトップシートと、外側面を構成する液不透過性のバックシートと、前記トップシート及び前記バックシートの間に介在する吸収体とを有する袋体を備え、
前記袋体の底部に、前記袋体の内部へ向けて折り込まれた折り込み部が設けられていることを特徴とする尿吸収物品。
【請求項２】
請求項１に記載の尿吸収物品であって、
前記袋体の底部に、複数の前記折り込み部が設けられていることを特徴とする尿吸収物品。
【請求項３】
請求項１又は請求項２に記載の尿吸収物品であって、
少なくとも前記折り込み部に、前記吸収体が配置されていることを特徴とする尿吸収物品。
【請求項４】
請求項１から請求項３までのいずれかに記載の尿吸収物品であって、
前記袋体は、前記トップシート、前記吸収体、及び前記バックシートが積層された略長方形状の積層体を、前記トップシートが内側となり、かつ、底部に前記折り込み部が形成されるように折曲した後に、その両側辺をシールしたものであり、
前記折り込み部の両側部は、前記シールにより、内側へ折り込まれた状態に固定されていることを特徴とする尿吸収物品。
【請求項５】
請求項１から請求項４までのいずれかに記載の尿吸収物品であって、
前記折り込み部の折り込み深さは、前記袋体の長手方向の寸法の１／２倍以下であることを特徴とする尿吸収物品。
【発明の詳細な説明】
【技術分野】
【０００１】
本発明は、男性器に装着されて男性器から排泄される尿を吸収する尿吸収物品に関する。
【背景技術】
【０００２】
従来、おむつや下着の内側で男性器に装着され、男性器から排泄される尿を吸収する採尿パッドが知られている。このような採尿パッドの例として、特許文献１には、開口部を有する袋状に構成され、開口部を介して袋状体の内部に男性器を挿入するものが記載されている。
【先行技術文献】
【特許文献】
【０００３】
【特許文献１】特開２００４−１５９７２４号公報
【発明の概要】
【発明が解決しようとする課題】
【０００４】
袋状の採尿パッドでは、その内側面同士が接触した状態（つぶれた状態）となっていると、着用者から排泄された尿が、袋体の内部に収容しきれずに、溢れ出てしまう場合がある。このような尿の漏れを防止するためには、袋体の内部に広い空間を確保するとともに、吸収体による尿の吸収能力を向上させることが望ましい。ただし、袋体の長手方向の寸法を長くし過ぎると、おむつや下着の内側に採尿パッドを収容しにくくなる、という別の問題が発生する。
【０００５】
本発明は、このような事情に鑑みなされたものであり、袋体の長手方向の寸法を抑えつつ、袋体の内部空間を広く確保し、かつ、尿を吸収する能力を向上させて、袋体からの尿の漏れを防止できる尿吸収物品を提供することを目的とする。
【課題を解決するための手段】
【０００６】
上記課題を解決するため、本願の第１発明は、男性器に装着されて男性器から排泄される尿を吸収する尿吸収物品であって、内側面を構成する液透過性のトップシートと、外側面を構成する液不透過性のバックシートと、前記トップシート及び前記バックシートの間に介在する吸収体とを有する袋体を備え、前記袋体の底部に、前記袋体の内部へ向けて折り込まれた折り込み部が設けられていることを特徴とする。
【０００７】
本願の第２発明は、第１発明の尿吸収物品であって、前記袋体の底部に、複数の前記折り込み部が設けられていることを特徴とする。
【０００８】
本願の第３発明は、第１発明又は第２発明の尿吸収物品であって、少なくとも前記折り込み部に、前記吸収体が配置されていることを特徴とする。
【０００９】
本願の第４発明は、第１発明から第３発明までのいずれかの尿吸収物品であって、前記袋体は、前記トップシート、前記吸収体、及び前記バックシートが積層された略長方形状の積層体を、前記トップシートが内側となり、かつ、底部に前記折り込み部が形成されるように折曲した後に、その両側辺をシールしたものであり、前記折り込み部の両側部は、前記シールにより、内側へ折り込まれた状態に固定されていることを特徴とする。
【００１０】
本願の第５発明は、第１発明から第４発明までのいずれかの尿吸収物品であって、前記折り込み部の折り込み深さは、前記袋体の長手方向の寸法の１／２倍以下であることを特徴とする。
【発明の効果】
【００１１】
本願の第１発明〜第５発明によれば、袋体の長手方向の寸法を抑えつつ、袋体の内側面の面積を増加させることができる。また、トップシートとバックシートとの間に多くの吸収体を介在させることができる。これらの作用により、尿を吸収する能力が向上する。また、折り込み部が袋体の底部を拡げるため、袋体の内部空間が広く確保される。このため、袋体からの尿の漏れが防止される。
【００１２】
特に、本願の第２発明によれば、袋体の内側面の面積をより増加させることができるとともに、トップシートとバックシートとの間に、より多くの吸収体を介在させることができる。また、袋体の内部に、より広い空間を確保することができる。
【００１３】
特に、本願の第３発明によれば、排尿時には、折り込み部の吸収体が尿を吸収して膨潤し、袋体の底部がより拡がる。これにより、袋体の内部空間がより拡がり、排尿時における尿の漏れが防止される。
【００１４】
特に、本願の第４発明によれば、製造時において、折り込み部を容易に形成することができる。また、折り込み部が、袋体の外側へ展開してしまうことを防止できる。
【００１５】
特に、本願の第５発明によれば、折り込み部の頂部より開口部側に、男性器の収容空間が確保される。このため、折り込み部の頂部に尿が当たりやすく、それゆえ、袋体の底部が拡がりやすい。
【図面の簡単な説明】
【００１６】
【図１】採尿パッドの全体図である。
【図２】図１のII−II位置から見た採尿パッドの断面図である。
【図３】排尿時における採尿パッドの断面図である。
【図４】採尿パッドの展開図である。
【図５】折曲後の積層体の斜視図である。
【図６】変形例に係る採尿パッドの断面図である。
【図７】変形例に係る採尿パッドの断面図である。
【発明を実施するための形態】
【００１７】
以下、本発明の好適な実施形態について、図面を参照しつつ説明する。
【００１８】
＜１．採尿パッドの構成＞
図１は、本発明の一実施形態に係る採尿パッド１の全体図である。また、図２は、図１のII−II位置から見た採尿パッド１の断面図である。この採尿パッド１は、男性器（ペニス）に装着されて男性器から排泄される尿を吸収する尿吸収物品である。着用者は、この採尿パッド１を装着し、その上におむつや下着を着用する。軽度の排尿であれば、おむつや下着を交換することなく、採尿パッド１のみを交換すれば済むため、着用者の経済的負担や介護者の介護負担が軽減される。
【００１９】
この採尿パッド１は、男性器を収容可能な袋体１０を有する。袋体１０には、男性器を挿入するための開口部１０ａが形成されている。図２に示したように、袋体１０は、その内側面を構成する液透過性のトップシート１１と、外側面を構成する液不透過性のバックシート１２と、両シート１１，１２の間に介在する吸収体１３とを有する。袋体１０の内部に尿が排泄されると、当該尿は、トップシート１１を通過するが、バックシート１２を通過することはなく、トップシート１１とバックシート１２との間において、吸収体１３に吸収保持される。
【００２０】
トップシート１１は、例えば、親水性繊維（セルロース、レーヨン、コットン等）を用いた不織布により構成される。また、トップシート１１は、疎水性繊維（ポリプロピレン、ポリエチレン、ポリエステル、ポリアミド、ナイロン等）の表面を界面活性剤により処理して液透過性とした不織布により構成されていてもよい。
【００２１】
バックシート１２は、例えば、疎水性繊維（ポリプロピレン、ポリエチレン、ポリエステル、ポリアミド、ナイロン等）を用いた撥水性の不織布により構成される。バックシート１２は、プラスチックフィルムにより構成されていてもよく、また、プラスチックフィルムとその外側に貼着された柔軟性の高い不織布とにより構成されていてもよい。
【００２２】
吸収体１３は、例えば、顆粒状の高分子吸収体により構成される。図２に示したように、本実施形態では、バックシート１２の内側面に、接着剤（図示省略）を介して高分子吸収体が固定され、その内側に、高分子吸収体を被覆する液透過性の補助シート１４が設けられている。これにより、バックシート１２と補助シート１４との間に、高分子吸収体がシート状に分布した状態となっている。
【００２３】
なお、吸収体１３は、トップシート１１とバックシート１２との間に、補助シート１４を介することなく、保持されていてもよい。また、吸収体１３は、粉砕したパルプ繊維やセルロース繊維などの親水性繊維の集合層に、顆粒状の高分子吸収体を混合した塊を、ティッシュペーパーなどの紙シートまたは透液性の不織布シートで被覆したものにより構成されていてもよい。ただし、吸収体１３の嵩張りを抑制するためには、吸収体１３を、パルプ非存在の高分子吸収体により構成することが望ましい。
【００２４】
袋体１０の底部（開口部１０ａの反対側の部分）には、袋体１０の内部へ向けて折り込まれた折り込み部１０ｂが設けられている。図２に示したように、折り込み部１０ｂにおいては、トップシート１１、補助シート１４，吸収体１３、及びバックシート１２が、袋体１０の内部へ向けて折り込まれている。
【００２５】
本実施形態では、採尿パッド１にこのような折り込み部１０ｂを設けることにより、袋体１０の長手方向の寸法を抑制しつつ、袋体１０の内側面の面積を広く確保している。また、このような折り込み部１０ｂを設けることにより、トップシート１１とバックシート１２との間に多くの吸収体１３を保持できるようにしている。着用者が排泄した尿は、袋体１０の広い内側面を介して吸収体１３へ、迅速に吸収される。
【００２６】
袋体１０の底部は、排尿前の状態においても、折り込み部１０ｂを構成する各シートの嵩や、各シートが有する僅かな弾性により、若干拡がった状態に維持されている。これにより、袋体１０の内側面同士の接触が抑制され、袋体１０の内部に空間が確保されている。また、袋体１０の内部に尿が排泄されると、図３に示したように、吸収体１３は、尿を吸収して膨潤する。これにより、折り込み部１０ｂが展張して、袋体１０の底部がさらに拡がることとなる。その結果、袋体１０の内部に、さらに広い空間が確保される。
【００２７】
このように、採尿パッド１は、折り込み部１０ｂを有することにより、袋体１０の内部空間を広く確保できる構造となっている。このため、着用者が尿を排泄したときに、未吸収の尿が袋体１０から溢れ出してしまうことを、防止できる。
【００２８】
図２に示したように、本実施形態では、折り込み部１０ｂの折り込み深さｄ１が、袋体１０の長手方向の寸法ｄ２の１／２倍以下とされている。そして、袋体１０の内部の、折り込み部１０ｂの頂部１０ｃより開口部１０ａ側に、男性器の全体を収容できる程度の空間Ｓが確保されている。このため、着用者の男性器Ｐから排泄された尿は、図３中に白抜き矢印で示したように、折り込み部１０ｂの頂部１０ｃに直接当たることとなる。これにより、折り込み部１０ｂに設けられた吸収体１３を効率よく膨潤させて、袋体１０の底部を良好に拡げることができる。
【００２９】
図２及び図３に示したように、バックシート１２の端部は、袋体１０の開口部１０ａの近傍において、内側へ折り畳まれている。そして、バックシート１２の折り畳まれた部分の内部には、複数本の弾性部材１５が設けられている。複数本の弾性部材１５は、自然長よりも伸長された状態で、接着剤（図示省略）により、バックシート１２に固定されている。このため、複数本の弾性部材１５は、開口部１０ａを縮めるように弾性力を発生させる。一方、採尿パッド１の着用者又は介護者は、弾性部材１５の弾性力に抗して、開口部１０ａを広げることもできる。弾性部材１５には、例えば、ポリウレタン糸を使用すればよいが、ポリウレタンフィルムや天然ゴムなどを使用してもよい。
【００３０】
また、図１〜図３に示したように、袋体１０の開口部１０ａには、開口部シート１６が設けられている。開口部シート１６は、トップシート１１の内側面からバックシート１２の外側面にかけて、接着剤（図示省略）を介して貼着されている。開口部シート１６は、着用者の肌への当たりを和らげ、肌に対する刺激を低減させる役割を果たす。開口部シート１６は、例えば、比較的柔軟な繊維を用いた不織布により構成される。
【００３１】
また、図１に示したように、袋体１０には、開口部１０ａの縁から底部側へ向けて切れ込んだスリット１０ｄが形成されている。また、スリット１０ｄの縁には、男性器のサイズに応じて開口部１０ａを固定する固定部材２０が設けられている。固定部材２０は、袋体１０のスリット１０ｄ縁にその基端部が貼着された基材シート２１と、基材シート２１の他端部側に設けられた雄部材２２とを有する。雄部材２２は、例えば、面ファスナーのフック材により構成されており、開口部シート１６の表面の任意の位置に対して、着脱可能となっている。
【００３２】
なお、固定部材２０は、必ずしも開口部シート１６に対して雄部材２２を付着させるものでなくてもよい。例えば、開口部１０ａの近傍のバックシート１２の外側面に雌部材（例えば、面ファスナーのループ材）を設け、当該雌部材に対して雄部材２２を付着させるようにしてもよい。また、雄部材２２として粘着テープを用いてもよい。
【００３３】
図４は、採尿パッド１の展開図である。採尿パッド１は、トップシート１１、補助シート１４、吸収体１３、及びバックシート１２をこの順に積層させた、略長方形状の積層体２から形成される。採尿パッド１を製造するときには、まず、トップシート１１が内側となり、かつ、底部に折り込み部１０ｂが形成されるように、積層体２を折曲する。具体的には、長手方向の中央付近において幅方向にのびる折曲線２ａを境に積層体２を山折りし、その両側において幅方向にのびる折曲線２ｂ，２ｃを境に積層体２を谷折りする。折曲後の積層体２は、図５の斜視図のような状態となる。その後、折曲された積層体２の両側辺を、長手方向に熱シール等で接合する。
【００３４】
このように、本実施形態では、積層体２の折り込み部１０ｂとなる部位を折曲した後に、熱シールによる接合を行う。これにより、折り込み部１０ｂを容易に形成することができる。また、図５中に矢印Ａで示したように、折り込み部１０ｂの両端部も、内側へ折り込まれた状態で、熱シールにより固定される。このため、折り込み部１０ｂが、袋体１０の外側へ展開してしまうことが、防止される。
【００３５】
採尿パッド１を装着するときには、まず、着用者又は介護者は、採尿パッド１の開口部１０ａを広げる。そして、開口部１０ａを広げた状態で、袋体１０を、着用者の男性器にかぶせる。着用者又は介護者が開口部１０ａから指を離すと、袋体１０は、弾性部材１５の弾性力により、男性器に固定される。その後、着用者又は介護者は、固定部材２０の雄部材２２を、開口部シート１６の適当な位置に付着させる。これにより、男性器のサイズに応じて開口部１０ａの大きさを調節し、男性器に対して採尿パッド１をしっかりと固定する。
【００３６】
＜２．変形例＞
以上、本発明の一実施形態について説明したが、本発明は上記の実施形態に限定されるものではない。
【００３７】
上記の実施形態では、トップシート１１とバックシート１２との間のほぼ全体に吸収体が介在していたが、トップシート１１とバックシート１２との間に、吸収体１３が介在しない領域があってもよい。ただし、排尿時に袋体１０の底部を拡げる効果を得るためには、少なくとも、折り込み部１０ｂに吸収体１３が配置されていることが望ましい。
【００３８】
また、上記の実施形態では、袋体１０の底部に、単一の折り込み部１０ｂが設けられていたが、袋体１０の底部に、複数の折り込み部が設けられていてもよい。例えば、図６に示した採尿パッド１Ａのように、袋体１０の底部に、２つの折り込み部１０ｂが設けられていてもよい。このようにすれば、袋体１０の内側面の面積をより増加させることができるとともに、トップシート１１とバックシート１２との間に、より多くの吸収体１３を介在させることができる。また、袋体１０の内部に、より広い空間を確保できる。
【００３９】
また、上記の実施形態では、折り込み部１０ｂにおいて、トップシート１１、補助シート１４、吸収体１３、及びバックシート１２が、袋体１０の内部へ折り込まれていたが、必ずしもこれらの全てのシートが折り込まれていなくてもよい。例えば、図７に示した採尿パッド１Ｂのように、トップシート１１、補助シート１４，及び吸収体１３のみが、袋体１０の内部へ折り込まれていてもよい。このような形態であっても、袋体１０の内側面の面積や吸収体１３の量を増加させる効果を得ることはできる。また、袋体１０の底部は若干拡がった状態に維持されるため、袋体１０の内部に空間を確保することもできる。ただし、排尿時に袋体１０の底部を拡げる効果を得るためには、バックシート１２を含む全てのシートを、袋体１０の内部へ折り込んでおくことが望ましい。
【００４０】
また、上記の実施形態では、積層体２を折曲した後に、熱シールによる接合を行っていたが、積層体２を二つ折りにして両側辺をシールした後に、袋体１０の底部を袋体の内部へ向けて折り込むようにしてもよい。
【００４１】
また、上記の実施形態では、長方形状の積層体２を折曲してその両側辺をシールすることにより、袋体１０が構成されていたが、袋体１０は、必ずしも単一の積層体２から形成されたものでなくてもよい。例えば、複数枚の積層体を接合して、袋体１０が構成されていてもよい。
【符号の説明】
【００４２】
１，１Ａ，１Ｂ  採尿パッド
２  積層体
２ａ，２ｂ，２ｃ  折曲線
１０  袋体
１０ａ  開口部
１０ｂ  折り込み部
１０ｃ  頂部
１０ｄ  スリット
１１  トップシート
１２  バックシート
１３  吸収体
１４  補助シート
１５  弾性部材
１６  開口部シート
２０  固定部材
２１  基材シート
２２  雄部材
Ａ  矢印
Ｐ  男性器
Ｓ  空間
【図１】
2011041678.tif 000003
【図２】
2011041678.tif 000004
【図３】
2011041678.tif 000005
【図４】
2011041678.tif 000006
【図５】
2011041678.tif 000007
【図６】
2011041678.tif 000008
【図７】
2011041678.tif 000009